(57)【要約】      （修正有）【課題】印刷最終加工ジョブが印刷文章の異なる組み付けを必要とすることを解決する印刷ジョブ生成方法を提供する。【解決手段】印刷文章の作成を制御することに関するコンピュータにより実施される方法は、印刷ジョブを生成するために印刷情報を取り出し、印刷されるべき文章の特徴をその印刷情報が指定し；印刷最終加工装置の少なくとも１つの属性を取り出し、その属性は、印刷文章が印刷最終加工装置で処理される際に、当該文章を印刷するための印刷ジョブに課される制約を定義し；当該印刷情報及び当該制約に基づいて印刷ジョブを生成することからなるステップを含む。【選択図】図３
2017177817.tif 000002
【特許請求の範囲】
【請求項１】
印刷文章の作成を制御することに関するコンピュータにより実施される方法であって、
印刷ジョブを生成するために印刷情報を取り出し、印刷されるべき文章の特徴を前記印刷情報が指定し、
印刷最終加工装置の少なくとも１つの属性を取り出し、その属性は、前記印刷文章が前記印刷最終加工装置で処理される際に、前記文章を印刷するための前記印刷ジョブに課される制約を定義し、前記印刷最終加工装置の少なくとも１つの属性を取り出すことが、前記印刷最終加工装置に前記印刷最終加工装置の構成データを送信し、前記構成データに対応する前記印刷最終加工装置の少なくとも１つの制約を取り出すことを含んでおり、
前記印刷情報および前記少なくとも１つの制約に基づいて印刷ジョブを生成することを含む、コンピュータにより実施される方法。
【請求項２】
前記印刷最終加工装置の少なくとも１つの属性を取り出すことが、前記印刷最終加工装置に対する通信リンクを確立し、前記少なくとも１つの属性を送信するように前記印刷最終加工装置を促すことを含む、請求項１に記載のコンピュータにより実施される方法。
【請求項３】
前記印刷ジョブを生成するために印刷情報を取り出すことが、操作者により入力された情報を取り出すことを含み、前記印刷最終加工装置の少なくとも１つの属性を取り出すことが、前記少なくとも１つの属性を自動的に取り出すことを含む、請求項１又は２に記載のコンピュータにより実施される方法。
【請求項４】
前記少なくとも１つの属性が、属性テーブルに格納される、請求項１〜３の何れかに記載のコンピュータにより実施される方法。
【請求項５】
前記少なくとも１つの属性が、少なくとも１つの印刷最終加工装置の少なくとも１つの構成に関する複数の属性を格納するメモリから取り出される、請求項１〜４の何れかに記載のコンピュータにより実施される方法。
【請求項６】
前記属性が、組み付けの制約を定義する、請求項１〜５の何れかに記載のコンピュータにより実施される方法。
【請求項７】
前記構成データが、のどあきサイズ、側部トリミング、イメージサイズ、折り目線の場所、入力シートのサイズ、及び印刷媒体の一シートに印刷されるアップの総計の少なくとも１つを含む、請求項１〜６の何れかに記載のコンピュータにより実施される方法。
【請求項８】
前記印刷情報が、印刷最終加工装置の仕様、及び印刷文章を後処理するための印刷最終加工装置の構成データの少なくとも１つを含む、請求項１〜７の何れかに記載のコンピュータにより実施される方法。
【請求項９】
請求項１〜８の何れかに記載のコンピュータにより実施される方法が、組み付けツールにおいて実施される、方法。
【請求項１０】
前記組み付けツールが、ワークステーションコンピュータ、サーバ、分散コンピューティング環境、及びプリンタのＣＰＵの少なくとも１つで動作するように構成されたコンピュータプログラムである、請求項９に記載のコンピュータにより実施される方法。
【請求項１１】
中央処理装置に印刷文章の作成を制御させるための命令を内部に格納するコンピュータ可読媒体であって、その命令が、
印刷されるべき文章の特徴を指定する印刷情報を、印刷ジョブを生成するために取り出すためのモジュールと、
印刷最終加工装置の少なくとも１つの属性を取り出すためのモジュールであって、前記属性は、前記印刷文章が前記印刷最終加工装置で処理される際に、前記文章を印刷するための前記印刷ジョブに課される制約を定義し、前記印刷最終加工装置の少なくとも１つの属性を取り出すことが、前記印刷最終加工装置に前記印刷最終加工装置の構成データを送信し、前記構成データに対応する前記印刷最終加工装置の少なくとも１つの制約を取り出すことを含む、モジュールと、
前記印刷情報および前記少なくとも１つの制約に基づいて印刷ジョブを生成するためのモジュールとを含む、コンピュータ可読媒体。
【請求項１２】
前記属性が組み付けの制約を定義し、前記構成データが、のどあきサイズ、側部トリミング、イメージサイズ、折り目線の場所、入力シートのサイズ、及び印刷媒体の一シートに印刷されるアップの総計の少なくとも１つを含み、前記構成データが前記印刷情報に含められる、請求項１１に記載のコンピュータ可読媒体。
【請求項１３】
印刷ジョブを生成するためのシステムであって、
以下のこと、即ち、印刷されるべき文章の特徴を指定する印刷情報を、印刷ジョブを生成するために取り出し、
印刷最終加工装置の少なくとも１つの属性を取り出し、前記属性は、印刷文章が前記印刷最終加工装置で処理される際に、前記文章を印刷するための前記印刷ジョブに課される制約を定義し、前記印刷最終加工装置の少なくとも１つの属性を取り出すことが、前記印刷最終加工装置に前記印刷最終加工装置の構成データを送信し、前記構成データに対応する前記印刷最終加工装置の少なくとも１つの制約を取り出すことを含んでおり、
前記印刷情報および前記少なくとも１つの制約に基づいて印刷ジョブを生成することを行うように構成された処理ユニットを含む、システム。
【請求項１４】
前記属性が組み付けの制約を定義し、前記構成データが、のどあきサイズ、側部トリミング、イメージサイズ、折り目線の場所、入力シートのサイズ、及び印刷媒体の一シートに印刷されるアップの総計の少なくとも１つを含み、前記構成データが前記印刷情報に含められる、請求項１３に記載のシステム。
【請求項１５】
メモリと、
前記印刷最終加工装置と通信するための通信インターフェースとを更に含み、
前記少なくとも１つの属性が、前記メモリの属性テーブルに格納されている、請求項１３又は１４に記載のシステム。
【発明の詳細な説明】
【技術分野】
【０００１】
一般に、簡素な卓上プリンタから大判デジタル印刷機まである印刷システムが知られており、当該デジタル印刷機は、何らかの商業印刷ジョブを生成し、例えばポケットサイズの折り畳み印刷物、多ページのパンフレット、ポスター、及び大型のレイフラットタイプの本を含む任意のサイズの応用形態をデジタル処理で印刷することができる。例えば、ＨＰインディゴデジタル印刷機のような完全自動化または半自動化デジタル印刷機は、高効率の組み付けジョブを可能にし、異なるサイズ、重さ及び品質の印刷用紙を含む広範囲の媒体（コート紙、カラー紙、メタリック紙および他の特殊紙、及びボール紙などを含む）をサポートする。
【０００２】
多くの場合、これら及び他のプリンタは、印刷最終加工装置と組み合わせて動作し、当該印刷最終加工装置は、そういうものとしてプリンタと一体化され得る又はプリンタから分離することができる。印刷最終加工装置は、切断、ホチキス止め、折り畳み、ミシン目開け、余白切り取り、折り目付け、コーティング、製本などのような、印刷された文章（印刷文章、印刷ドキュメント）の任意のタイプの後処理を行う。印刷最終加工装置の例は、それに限定されないが、Dupro DC-645及びLasermax Page Readyである。印刷最終加工装置は、様々な選択可能な構成に従って動作することができ、且つ所定数のページをホチキス止めする、折り目付けする、所定のフォーマットへ印刷ページを切断および折り畳むなどのような様々な予めプログラムされた最終加工ジョブを実行することを可能にする完全自動化または半自動化機械装置である。様々な印刷最終加工ジョブは、印刷文章の異なる組み付け（面付け）を必要とする可能性がある。
【０００３】
印刷文章に必要とされる最終加工のタイプを判断するために抽出され得る最終工程マークをイメージに設けることが知られている。また、印刷部数にどの最終工程操作が行われるべきかを判断するために、コマンドが印刷ジョブへ組み込まれることも知られている。印刷装置は、全て又は最大限の要求を実行することができる最終工程装置を選択することができる。
【図面の簡単な説明】
【０００４】
【図１】所定のイメージ領域を含む、印刷されるべき文章の一例である。
【図２】組み付けテンプレートのオーバーレイを有する図１の文章を示す図である。
【図３】印刷ジョブを生成するためのシステムの一例に関するブロック図を概略的に示す図である。
【０００５】
詳細な説明
任意のタイプのプリンタを用いて印刷されるべき文章（ドキュメント）に対して印刷ジョブを生成する場合、プリントアウト（印刷出力）のレイアウトは、印刷機械装置のイメージ領域によってのみ制限される。例えば、所定のサイズＡ×Ｂ（例えば、１３インチ×１９インチ又は２９．７ｃｍ×４２ｃｍ）を有する用紙のような印刷媒体に印刷する場合、プリンタは、イメージ領域ａ×ｂが用紙サイズＡ×Ｂより小さくなるように、印刷されるべきでない所定の余白を要求する。例えば、これに制限されないが、１３インチ×１９インチの用紙サイズの場合、イメージ領域は１２．４８インチ×１８．２６インチにすることができ、又は２９．７ｃｍ×４２ｃｍの用紙サイズの場合、イメージ領域は２８．５ｃｍ×４１．２ｃｍとすることができる。このイメージ領域ａ×ｂの範囲内で、更なる制限なしに、ユーザが要求する任意のイメージ（単数または複数）を配置することができる（図１を参照）。
【０００６】
従って、また、プリンタの制約を考慮して、印刷媒体（単数）上に印刷製品（単数）のページ（複数）を配列する場合、組み付けは、プリンタ機械装置のイメージ領域によってのみ制限される。図２は、Ａ×Ｂのサイズを有する印刷媒体の一シート上に、４つのイメージがイメージ領域ａ×ｂの範囲内に配列されている組み付けの一例を示す。プリンタの制約に関する限り、イメージ領域ａ×ｂの範囲内において、任意の数およびサイズのイメージ、イメージのピッチ、イメージ間隔などを含むイメージの任意の他の配列が可能である。
【０００７】
組み付けは、印刷ジョブの生成におけるステップの１つである。例えば、それは、印刷媒体のより効率的な使用および印刷媒体の簡易化された印刷後の処理を達成するために、印刷媒体（単数）上に印刷製品（単数）のページ（複数）を配列することに含まれる。正確な組み付けは、一刷り毎のページ数を最大にすることにより印刷時間を最小限にし、ひいては印刷時間および材料のコストを低減する。印刷媒体（単数）上にページ（複数）を配列することは、以下に限定されないが、最終印刷製品のフォーマット、最終印刷製品のページ数、印刷後の処理のタイプ（例えば、切断、折り目付け、折り畳み、ホチキス止め、縫い合わせ、製本など）のような様々なパラメータにより影響を受ける。
【０００８】
市場には、最小および／または最大ののどあきサイズ、最小または最大の側部トリミング、最小および／または最大のイメージサイズ（最終フォーマット）、印刷媒体上のアップ（アップは、印刷媒体の単一のシート上での１回の組み付けにおける同じイメージの複数のコピーを意味する）の総計、折り目線の許容可能な場所、ミシン目開け、スリット（切り込み）など、最小および／または最大の入力シートのサイズなどのような、印刷最終加工装置の変化する構成にも依存して、印刷ページの組み付けに異なる制限を課す様々な印刷最終加工装置が存在する。
【０００９】
印刷ジョブを生成する際、組み付けは通常、どの印刷最終加工装置が生産部門に利用可能であり、どの印刷最終加工装置および印刷最終加工装置のどの特定の構成を生産部門が使用する予定であるかを知る必要がある印刷前部門により、行われている。選択されるべき印刷最終加工装置および装置の制約に基づいて、印刷前部門は、正確な組み付けを作成する必要がある。
【００１０】
印刷前部門が印刷最終加工装置の制約を知らない又は適切に考慮しない場合、ジョブは、プリンタの制限のみを考慮してプリンタにより印刷され、印刷された文章（印刷文章）が印刷最終加工装置に到着し、この場合、ただその時だけ生産部門は、その印刷文章が必要に応じて処理されることができないことを認識する。
【００１１】
方法およびシステムの例は、任意のタイプのプリンタ及び印刷最終加工装置と組み合わせて使用されることができ、例えば、以下に限定されないが、ワークステーションコンピュータ、サーバ、分散コンピューティング環境、又はプリンタのＣＰＵで動作しているコンピュータソフトウェアとして、少なくとも部分的に実現され得る。
【００１２】
印刷文章の作成を制御することに関するコンピュータにより実施される方法の一例は、以下のステップ、即ち、印刷ジョブを生成するために印刷情報を取り出し、印刷されるべき文章の特徴をその印刷情報が指定し；印刷最終加工装置の少なくとも１つの属性を取り出し、その属性は、当該印刷文章が当該印刷最終加工装置で処理される際に、当該文章を印刷するための印刷ジョブに課される制約を定義し；及び当該印刷情報および当該制約に基づいて印刷ジョブを生成することからなるステップを含む。一例において、印刷最終加工装置の少なくとも１つの属性を取り出すことは、当該印刷最終加工装置に対する通信リンクを確立し、当該少なくとも１つの属性を送信するように当該印刷最終加工装置を促すことを含む。当該通信リンクは、印刷ジョブを生成する時に又はそれに先だって確立されてオンラインで使用されることができ、それにより印刷最終加工装置の１つ又は複数の属性が取り出されて格納される。印刷最終加工装置の少なくとも１つの属性を取り出すことは、当該少なくとも１つの属性を自動的に取り出すことを含むことができる。
【００１３】
従って、この例において、印刷ジョブを生成する際、ユーザが所望の印刷最終加工装置および／または印刷最終加工装置の構成を単に選択することを除いて、印刷前部門が印刷最終加工装置の制約および制限に関して必ずしも知る必要がなく、この場合、当該方法は、印刷文章が当該印刷最終加工装置で処理されるべきである場合に当該文章を印刷するための印刷ジョブに課せられる制約を判断するために、当該印刷最終加工装置の１つ又は複数の属性を自動的に取り出すことができる。次いで、印刷ジョブが、印刷情報および当該制約を考慮して生成される。
【００１４】
印刷最終加工装置の選択および／または構成データは、印刷情報に含められることができ、印刷最終加工装置の少なくとも１つの属性を取り出すことは、印刷最終加工装置に当該構成データを送信し、当該構成データに対応する印刷最終加工装置の少なくとも１つの制約を取り出すことを含むことができる。
【００１５】
印刷ジョブを生成するための印刷情報は、ユーザにより入力されることができ、印刷情報を取り出すことは、ユーザにより入力された当該情報を取り出すことを含むことができる。また、印刷情報は、以下に限定されないが、ニュース速報、天気予報、入来するイメージストリームなどのような或るタイプのイベントによりトリガされるデータ処理システムによって、自動的に生成されることも可能である。
【００１６】
少なくとも１つの属性は、属性テーブルに格納されることができ、その属性テーブルは、印刷最終加工装置に位置する又は当該印刷最終加工装置から遠隔位置にあるメモリに格納され得る。また、印刷最終加工装置に、及び追加として印刷最終加工装置から遠隔の場所に属性（単数または複数）のテーブルを格納することもできる。例えば、ひとたび属性（単数または複数）が取り出されたならば、当該方法を実行するためのコンピュータプログラムが動作しているデータ処理システムにおいて、全ての又は限られた数の属性がバッファリングされ得る。
【００１７】
印刷最終加工装置に及び／又は印刷最終加工装置から遠隔の位置に、少なくとも１つの印刷最終加工装置の少なくとも１つの構成に関する複数の属性を格納するメモリが、設けられ得る。各印刷最終加工装置は、印刷文章を後処理するための２つ以上の構成を有することができ、各構成は、印刷製品に１つ又は複数の制約を課すかもしれない。従って、各構成および各印刷最終加工装置に対して、印刷ジョブの制約に対応する一組の属性が定義されて格納され得る。
【００１８】
一例において、属性は、１つ又は複数の組み付けの制約を定義する。組み付けの制約は、以下に制限されないが、のどあきサイズ、側部トリミング、全体的なイメージサイズ、入力シートの全体的なサイズ、１つ又は複数のスリット（切り込み）、切断、ミシン目開け又は折り目の場所、及び印刷媒体の一シートに印刷されるアップの総計の少なくとも１つに関連することができる。これら制約に応じて、印刷媒体の一シートに印刷される複数のイメージは、特定の定義されたラスターにおいてのみ配置されることができ、以下に限定されないが、特定の最小および／または最大のサイズ、距離、ピッチなどを有する必要がある。
【００１９】
一例において、方法は、例えば、ワークステーションコンピュータ、サーバ、分散コンピューティング環境、又はプリンタのＣＰＵの少なくとも１つで動作するように構成されたコンピュータプログラムである組み付けツールで実施される。一例において、ソフトウェアは、プリンタ及び印刷最終加工装置の外部にあるコンピュータで動作し、この場合、組み付けツールの操作者は、印刷ジョブを生成する際に、通信リンクを介して印刷最終加工装置の１つ又は複数の属性を取り出す。例えば、操作者は、所望の印刷最終加工装置および印刷最終加工装置の構成を定義し、組み付けツールが、印刷最終加工装置に対する通信を確立し、印刷ジョブの制約を定義する必要な属性を取り出す。
【００２０】
方法は、中央処理装置に当該方法を実行させるための命令を内部に格納するコンピュータ可読媒体で具現化され得る。
【００２１】
一例において、コンピュータ可読媒体は、印刷されるべき文章の組み付けを作成するための組み付けツールに使用され、コンピュータ可読媒体は、少なくとも１つの印刷最終加工装置に関連した少なくとも１つの属性が格納されている属性テーブルを内部に格納し、少なくとも１つの属性のそれぞれは、少なくとも１つの印刷最終加工装置において処理されるべき印刷文章に課せられる制約を定義する。一例において、当該属性は、組み付けの制約を定義する。
【００２２】
一例によれば、コンピュータ可読媒体は、以下のステップ、即ち印刷ジョブのデータストリームを受け取り；それが少なくとも１つの印刷最終加工装置の１つにより印刷文章を後処理することを含むか否か、及び印刷ジョブに従って印刷される文章が印刷最終加工装置の少なくとも１つの制約を満たすか否かを判断するために、当該印刷ジョブを分析し；及び当該印刷ジョブが当該印刷最終加工装置により印刷文章を後処理することを含むけれども、当該少なくとも１つの制約を満たしていない場合に、印刷ジョブに従って印刷装置を制御するために当該印刷ジョブを変更することからなるステップを実行することにより、印刷装置を制御するために使用され得る。
【００２３】
別の例において、印刷ジョブを生成するためのシステムが提供され、そのシステムは、印刷されるべき文章の特徴を指定する印刷情報を、印刷ジョブを生成するために取り出し；当該文章を印刷するための印刷ジョブに課せられる制約を定義する、印刷最終加工装置の少なくとも１つの属性を取り出し；及び当該印刷情報および当該制約に基づいて印刷ジョブを生成するように構成された処理ユニットを含む。当該少なくとも１つの属性は、システムに設けられたメモリの属性テーブルに格納され得る。システムは更に、当該印刷最終加工装置と通信するための通信インターフェースを含むことができ、及びシステムは、印刷機械装置と通信するための同じ又は更なる通信インターフェースを含むことができる。通信インターフェースは、無線または有線を使用する電子通信インターフェースとすることができる。
【００２４】
システムは更に、ユーザによって印刷情報を入力するためのグラフィカルユーザインターフェースを含むことができる。印刷最終加工装置の属性は、ユーザにより入力された印刷情報に基づいて、印刷最終加工装置から自動的に取り出され得る。
【００２５】
図３は、印刷ジョブを生成するためのシステムの例に関する略ブロック図を示す。システムは、組み付けツール１０、プリンタ装置２０、及び印刷最終加工装置３０を含む。組み付けツール１０及び印刷最終加工装置３０は、無線または有線を用いた通信リンクにより接続される。組み付けツール１０は、ワークステーション、サーバ、分散コンピューティング環境などで動作するコンピュータソフトウェアプログラムとすることができる。組み付けツールは、グラフィカルユーザインターフェースを含むことができ、当該グラフィカルユーザインターフェースにより、操作者が、印刷されるべき文章（ドキュメント）の制限を指定するための印刷情報を入力することが可能となり、当該印刷情報は、印刷最終加工ジョブおよび／または印刷最終加工装置および／または印刷最終加工装置の構成に関する仕様を含む。代案として、組み付けツール１０は、上位制御システム（higher-ranking control system）のような別の供給源から印刷情報を受け取ってもよい。印刷最終加工ジョブおよび／または印刷最終加工装置および／または印刷最終加工装置の構成に関する仕様に基づいて、組み付けツール１０は、印刷最終加工装置３０に対する通信リンク４０を確立して、印刷ジョブに課せられる１つ又は複数の制約を定義する印刷最終加工装置の１つ又は複数の関連した属性を取り出すことができる。これら属性は、印刷ジョブを生成する際にオンラインで取り出されることができ、又は先だって取り出されて、組み付けツール又は組み付けツールによりアクセスされ得る任意のメモリに格納されることができる。
【００２６】
次いで、組み付けツール１０は、関連するプリンタ２０及び印刷最終加工装置３０の制限を考慮して印刷ジョブを生成し、その印刷ジョブをプリンタ２０に送信する。
【００２７】
印刷後、印刷文章がプリンタ２０から印刷最終加工装置３０へ送られ、任意の所望の印刷後処理ジョブが実施される。
【００２８】
方法およびシステムの例は、一刷りにつき複数の印刷イメージが生成される正確な組み付けを判断することに制限されない。むしろ、本発明は、１枚の用紙に単一のイメージのみを印刷することにも適用されることができ、この場合、印刷された用紙は、任意の特定の後処理ステップに制限されずに、例えばスタッキング、ホチキス止め、コーティングなどにより、印刷最終加工装置で後処理される。
【００２９】
以下においては、本発明の種々の構成要件の組み合わせからなる例示的な実施形態を示す。
１．印刷文章の作成を制御することに関するコンピュータにより実施される方法であって、
印刷ジョブを生成するために印刷情報を取り出すステップであって、印刷されるべき文章の特徴を前記印刷情報が指定する、ステップと
印刷最終加工装置の少なくとも１つの属性を取り出すステップであって、その属性は、前記印刷文章が前記印刷最終加工装置で処理される際に、前記文章を印刷するための前記印刷ジョブに課される制約を定義するステップと、
前記印刷情報および前記制約に基づいて印刷ジョブを生成するステップとを含む、コンピュータにより実施される方法。
２．前記印刷最終加工装置の少なくとも１つの属性を取り出すステップが、前記印刷最終加工装置に対する通信リンクを確立し、前記少なくとも１つの属性を送信するように前記印刷最終加工装置を促すことを含む、上記１に記載のコンピュータにより実施される方法。
３．前記印刷最終加工装置の少なくとも１つの属性を取り出すステップが、前記印刷最終加工装置に構成データを送信し、前記構成データに対応する前記印刷最終加工装置の少なくとも１つの制約を取り出すことを含む、上記２に記載のコンピュータにより実施される方法。
４．前記印刷ジョブを生成するために印刷情報を取り出すステップが、操作者により入力された情報を取り出すことを含み、前記印刷最終加工装置の少なくとも１つの属性を取り出すステップが、前記少なくとも１つの属性を自動的に取り出すことを含む、上記１に記載のコンピュータにより実施される方法。
５．前記少なくとも１つの属性が、属性テーブルに格納される、上記１に記載のコンピュータにより実施される方法。
６．前記少なくとも１つの属性が、少なくとも１つの印刷最終加工装置の少なくとも１つの構成に関する複数の属性を格納するメモリから取り出される、上記１に記載のコンピュータにより実施される方法。
７．前記属性が、組み付けの制約を定義する、上記１に記載のコンピュータにより実施される方法。
８．前記組み付けの制約が、のどあきサイズ、側部トリミング、イメージサイズ、折り目線の場所、入力シートのサイズ、及び印刷媒体の一シートに印刷されるアップの総計の少なくとも１つに関連する、上記７に記載のコンピュータにより実施される方法。
９．前記印刷情報が、印刷最終加工装置の仕様、及び印刷文章を後処理するための印刷最終加工装置の構成の少なくとも１つを含む、上記１に記載のコンピュータにより実施される方法。
１０．上記１に記載のコンピュータにより実施される方法が、組み付けツールにおいて実施される。
１１．前記組み付けツールが、ワークステーションコンピュータ、サーバ、分散コンピューティング環境、及びプリンタのＣＰＵの少なくとも１つで動作するように構成されたコンピュータプログラムである、上記１０に記載のコンピュータにより実施される方法。
１２．中央処理装置に印刷文章の作成を制御させるための命令を内部に格納するコンピュータ可読媒体であって、その命令が、
印刷されるべき文章の特徴を指定する印刷情報を、印刷ジョブを生成するために取り出すためのモジュールと、
印刷最終加工装置の少なくとも１つの属性を取り出すためのモジュールであって、前記属性は、前記印刷文章が前記印刷最終加工装置で処理される際に、前記文章を印刷するための前記印刷ジョブに課される制約を定義する、モジュールと、
前記印刷情報および前記制約に基づいて印刷ジョブを生成するためのモジュールとを含む、コンピュータ可読媒体。
１３．印刷ジョブを生成するためのシステムであって、
以下のこと、即ち、印刷されるべき文章の特徴を指定する印刷情報を、印刷ジョブを生成するために取り出し、
印刷最終加工装置の少なくとも１つの属性を取り出し、前記属性は、前記文章を印刷するための前記印刷ジョブに課される制約を定義し、
前記印刷情報および前記制約に基づいて印刷ジョブを生成することを行うように構成された処理ユニットを含む、システム。
１４．メモリを更に含み、前記少なくとも１つの属性が、前記メモリの属性テーブルに格納されている、上記１３に記載のシステム。
１５．前記印刷最終加工装置と通信するための通信インターフェースを更に含む、上記１３に記載のシステム。
【図１】
2017177817.tif 000003
【図２】
2017177817.tif 000004
【図３】
2017177817.tif 000005